(57)【特許請求の範囲】
【請求項１】
本体を含み、前記本体の中には第一回転空間が設けられ、前記第一回転空間の後端壁の中にはモーターが設けられ、前記第一回転空間の前壁端にはモーターと伝動できるように連結された第一回転軸が回転できるように連結され、前記第一回転軸の表面には第一歯車が固定され、前記第一歯車の左側には第一ラックが噛み合っており、前記第一歯車の右側には第二ラックが噛み合っており、前記第一回転空間の下端には第一スライド空間が設けられ、前記第一スライド空間の中には印字機構が設けられ、前記第一回転空間の左側には第二スライド空間が設けられ、前記第二スライド空間の中には前記第一ラックの左側と固定的に連結されたＬ字形連結ロッドがスライドできるように設けられ、前記Ｌ字形連結ロッドの下部分の左側表面には第四ラックが設けられ、前記印字機構の下方には横取り機構が設けられ、前記横取り機構の下方には送り機構が設けられ、前記送り機構の左側には前記本体の左側頂端に位置する外部突出台が設けられ、前記外部突出台の上部には検査機構が回転できるように連結され、前記送り機構の右側には前記本体の中間部分に固定された外部へ延びている載置台が固定され、前記載置台の右端にはベルトが連結され、前記横取り機構は前記本体の下壁端に固定された第一取り付けブロックを含み、前記第一取り付けブロックの中には右方に開口した第一駆動空間が設けられ、前記第一駆動空間の中には前記第一駆動空間の前後両端壁とスライドできるように連結された位置制限スライドブロックが設けられ、前記位置制限スライドブロックの内側の両端には横にスライドする第一スライドロッドが固定され、前記第一スライドロッドの前後両端には第二連結ロッドがスライドできるように連結され、前記第一スライドロッドの左端には第一ガイドロッドが固定的に連結され、前記第一ガイドロッドが前記第一駆動空間の外部にある部分には第二歯車が設けられ、前記第二歯車の後には同じ大きさの第三歯車が設けられ、前記第三歯車が左側表面に前記第四ラックの設けられた前記Ｌ字形連結ロッドと噛み合うことによって動力を提供し、前記第一取り付けブロックの右側には前記本体の下壁端に固定された第二取り付けブロックが設けられ、前記第二取り付けブロックの中には上方へ開口した第二駆動空間が設けられ、前記第二駆動空間の中には前記第二駆動空間の前後両端壁に位置する裏へスライド可能な第一スライドブロックが設けられ、前記第一スライドブロックの中間部分には二本の位置制限スライドロッドがスライドできるように設けられ、前記位置制限スライドロッドの前後両端がそれぞれ前記第二駆動空間の前後端壁と固定的に連結され、前記位置制限スライドロッドの表面には第一ばねが設けられ、前記第一スライドブロックの向き合っている端面にはいずれも第一ガイドブロックが固定され、前後二つの前記第一ガイドブロックの間には第二スライドブロックがスライドできるように連結され、前記第二スライドブロックの上表面には突出ブロックが設けられ、前記第二スライドブロックの下部分は円錐形であり、前記第一ガイドブロックが前記第二スライドブロックとの接触している面は斜面であり、スライドに便利であり、前記第一スライドブロックの上部には前記第一スライドブロックとスライドできるように連結された第三スライドブロックが設けられ、前記第三スライドブロックが前記第二連結ロッドに固定され、且つ前記第二連結ロッドを駆動し横方向へスライドさせ、前記第二駆動空間の右部分には挟みブロックが設けられ、前記挟みブロックには第二連結ロッドが固定され、前記第二連結ロッドが前記本体から横方向へ延び、且つ前記載置台と協働し缶詰乳製品を右方へ移動させ、前記第一駆動空間の左側には第二回転空間が設けられ、前記第二回転空間の中において前記第二歯車と前記Ｌ字形連結ロッドとが回転できるように連結され、前記第一ガイドロッドが前記第二回転空間の中で横方向へスライドでき、前記第二回転空間の前後壁の間には前記第二歯車と前記第三歯車と固定的に連結された伝動軸が回転できるように取り付けられ、
前記印字機構は前記第一スライド空間の中にスライドできるように取り付けられた凹形スライドロッドを含み、前記凹形スライドロッドが前記第二ラックの下端と固定され、前記凹形スライドロッドの下端には第四スライドブロックが左右対称に固定され、前記第一スライド空間の後端壁には位置制限柱が左右対称に固定され、前記位置制限柱には第一回転ロッドが回転できるように取り付けられ、前記第一回転ロッドの左右両端にはいずれも第一スライド溝が形成され、二つの前記第四スライドブロックの向き合っている端面には固定ピンが固定され、前記固定ピンが第一スライド溝の向き合っている側と連結され、前記固定ピンから離れた側の前記第一スライド溝の中にはスライド柱が設けられ、前記スライド柱が連動ブロックの上表面に固定され、前記連動ブロックには縦方向移動ブロックが固定され、前記縦方向移動ブロックの上端にはスライド板が固定され、前記スライド板の左右両側にはそれぞれ、前記第一スライド空間の後端壁に固定された第一位置制限ブロックと第二位置制限ブロックが固定され、前記第一位置制限ブロックと前記第二位置制限ブロックが前記スライド板とスライドできるように連結され、前記縦方向移動ブロックの下端にはＬ字形移動板が固定され、前記Ｌ字形移動板の下端面の右側には印字する文字があり、
前記送り機構は左方へ延びている第一回転溝を含み、前記第一回転溝が上方へ開口しており、前記第一回転溝の中にはベルトコンベアーが前後対称に設けられ、前後二つのベルトコンベアーの間には隙間が形成され、前記ベルトコンベアーの後方には動力を提供する第一モーターが設置され、前記回転溝の下方には第三回転空間が設けられ、前記第三回転空間の中には第四歯車が設けられ、前記第四歯車の後方には動力を提供する第二モーターが設けられ、前記第四歯車の前部分には縦方向へスライドする第二スライドロッドが設けられ、前記第二スライドロッドの左右両端の表面にはラックがあり、前記第三回転空間において第四歯車の上下端壁の中には第三スライド溝が形成され、前記第二スライドロッドが前記第三スライド溝でスライドでき、前記第二スライドロッドの上端が前記隙間を貫通しており、前記第四歯車の左右両側には前記第四歯車と噛合している第五歯車が対称に設けられ、前記第五歯車の前端には前記第二スライドロッドと噛合できる第一部分歯車が対称に設けられ、
前記検査機構は前記本体の内部に位置する前記第一モーターを含み、前記第一モーターの上端には前記本体の上壁端と回転できるように連結された駆動ロッドが伝動できるように連結され、前記駆動ロッドの右端には前記外部突出台が設けられ、前記駆動ロッドの上端には第三連結ロッドが固定され、前記第三連結ロッドの右側には連結板が固定され、前記連結板の中には前記第二モーターが設けられ、前記第二モーターには回転軸が伝動できるように連結され、前記回転軸には円盤が固定され、前記円盤の上表面には半円形の第二ガイドブロックが設けられ、前記連結板の右端には第一固定ブロックが固定され、前記第一固定ブロックの中には第二スライド溝が形成され、前記第二スライド溝の中には第三スライドロッドが設けられ、前記第三スライドロッドの外表面には第三位置制限ブロックが固定され、前記第三位置制限ブロックの右端には前記第二スライド溝の右端壁と固定的に連結された第二ばねが設けられ、前記第一固定ブロックの右端には外表面に歯の設けられた第一スリーブが回転できるように連結され、前記第一スリーブの中には第二固定ブロックが設けられ、前記第二固定ブロックの一部分が前記第一固定ブロックの中に延び、且つ前記第一固定ブロックと回転できるように連結され、前記第一固定ブロックの上端には右方へ延びている第三固定ブロックが固定的に取り付けられ、前記第三固定ブロックの右側には上下に連通している第二回転溝が形成され、前記第二回転溝の頂壁の中には左右両端面と前側がいずれも歯が付いている第三ラックがスライドできるように設けられ、前記第三ラックの前側が前記第一スリーブと噛合しており、前記第三ラックの後端には動力軸が設けられ、前記動力軸の後端には動力を提供する第三モーターが設けられ、前記動力軸には第六歯車が固定的に連結され、前記動力軸が前記第三ラックの後端面とスライドできるように連結され、前記第六歯車の左右両側には第七歯車が対称に噛み合っており、前記第七歯車の前端面には前記第三ラックと噛合できる第二部分歯車が設けられ、前記第二固定ブロックの中には第三回転溝が形成され、前記第三回転溝の内表面にはねじ山があり、前記第三回転溝の中には外表面にねじ山がある第二スリーブが設けられ、前記第二スリーブの中の左端には第四連結ロッドが回転できるように設けられ、前記第二スリーブの内部には右方へ開口した楕円溝が形成され、前記楕円溝の中には挟みロッドが前後対称に且つスライドできるように取り付けられ、二つの前記挟みロッドの間には第三ばねが取り付けられ、前記第四連結ロッドの左端が前記第三スライドロッドと回転できるように連結され、前記第二スリーブの左半分が前記第四連結ロッドと回転できるように連結され、前記第二固定ブロックの外表面の前後両端には位置制限柱が設けられ、前記位置制限柱の中間には前記挟みロッドとスライドできるように連結された固定ロッドが設けられ、前記外部突出台の左側には送りベルトが設けられていることを特徴とする缶詰乳製品の印字装置。
【発明の詳細な説明】
【技術分野】
【０００１】
本願発明は乳製品加工分野を取り上げて、具体的には缶詰乳製品の印字装置である。
【背景技術】
【０００２】
近頃、食品の品質認証により、メーカー達が製品の品質と包装を重視し始めた。既存技術の中、缶詰乳製品に対しての印字作業というのは、缶詰乳製品にマークや製造日を印字することである。加工過程において、密封性の悪い不良品がある。賞味期限が縮まった不良品を販売すると、ブランドのイメージが損なわれ、製品の販売に不利である一方、病気を引き起こす可能性もある。これに対して、単独に検査ステーションを設置すると、コストが高くなるうえ、エネルギーの浪費にもなる。
【先行技術文献】
【特許文献】
【０００３】
【特許文献１】中国特許出願公開第１０３６６０６４５号明細書
【発明の概要】
【発明が解決しようとする課題】
【０００４】
本願発明の目的は缶詰乳製品の印字装置を提供し、それは上記の現在の技術中の問題を解決できる。
【課題を解決するための手段】
【０００５】
上記の課題を解決するため、本願発明は以下の技術プランを採用する：缶詰乳製品の印字装置は、本体を含み、前記本体の中には第一回転空間が設けられ、前記第一回転空間の後端壁の中にはモーターが設けられ、前記第一回転空間の前壁端にはモーターと伝動できるように連結された第一回転軸が回転できるように連結され、前記第一回転軸の表面には第一歯車が固定され、前記第一歯車の左側には第一ラックが噛み合っており、前記第一歯車の右側には第二ラックが噛み合っており、前記第一回転空間の下端には第一スライド空間が設けられ、前記第一スライド空間の中には印字機構が設けられ、前記第一回転空間の左側には第二スライド空間が設けられ、前記第二スライド空間の中には前記第一ラックの左側と固定的に連結されたＬ字形連結ロッドがスライドできるように設けられ、前記Ｌ字形連結ロッドの下部分の左側表面には第四ラックが設けられ、前記印字機構の下方には横取り機構が設けられ、前記横取り機構の下方には送り機構が設けられ、前記送り機構の左側には前記本体の左側頂端に位置する外部突出台が設けられ、前記外部突出台の上部には検査機構が回転できるように連結され、前記送り機構の右側には前記本体の中間部分に固定された外部へ延びている載置台が固定され、前記載置台の右端にはベルトが連結され、前記横取り機構は前記本体の下壁端に固定された第一取り付けブロックを含み、前記第一取り付けブロックの中には右方に開口した第一駆動空間が設けられ、前記第一駆動空間の中には前記第一駆動空間の前後両端壁とスライドできるように連結された位置制限スライドブロックが設けられ、前記位置制限スライドブロックの内側の両端には横にスライドする第一スライドロッドが固定され、前記第一スライドロッドの前後両端には第二連結ロッドがスライドできるように連結され、前記第一スライドロッドの左端には第一ガイドロッドが固定的に連結され、前記第一ガイドロッドが前記第一駆動空間の外部にある部分には第二歯車が設けられ、前記第二歯車の後には同じ大きさの第三歯車が設けられ、前記第三歯車が左側表面に前記第四ラックの設けられた前記Ｌ字形連結ロッドと噛み合うことによって動力を提供し、前記第一取り付けブロックの右側には前記本体の下壁端に固定された第二取り付けブロックが設けられ、前記第二取り付けブロックの中には上方へ開口した第二駆動空間が設けられ、前記第二駆動空間の中には前記第二駆動空間の前後両端壁に位置する裏へスライド可能な第一スライドブロックが設けられ、前記第一スライドブロックの中間部分には二本の位置制限スライドロッドがスライドできるように設けられ、前記位置制限スライドロッドの前後両端がそれぞれ前記第二駆動空間の前後端壁と固定的に連結され、前記位置制限スライドロッドの表面には第一ばねが設けられ、前記第一スライドブロックの向き合っている端面にはいずれも第一ガイドブロックが固定され、前後二つの前記第一ガイドブロックの間には第二スライドブロックがスライドできるように連結され、前記第二スライドブロックの上表面には突出ブロックが設けられ、前記第二スライドブロックの下部分は円錐形であり、前記第一ガイドブロックが前記第二スライドブロックとの接触している面は斜面であり、スライドに便利であり、前記第一スライドブロックの上部には前記第一スライドブロックとスライドできるように連結された第三スライドブロックが設けられ、前記第三スライドブロックが前記第二連結ロッドに固定され、且つ前記第二連結ロッドを駆動し横方向へスライドさせ、前記第二駆動空間の右部分には挟みブロックが設けられ、前記挟みブロックには第二連結ロッドが固定され、前記第二連結ロッドが前記本体から横方向へ延び、且つ前記載置台と協働し缶詰乳製品を右方へ移動させ、前記第一駆動空間の左側には第二回転空間が設けられ、前記第二回転空間の中において前記第二歯車と前記Ｌ字形連結ロッドとが回転できるように連結され、前記第一ガイドロッドが前記第二回転空間の中で横方向へスライドでき、前記第二回転空間の前後壁の間には前記第二歯車と前記第三歯車と固定的に連結された伝動軸が回転できるように取り付けられている。
【０００６】
更の技術プラン、前記印字機構は前記第一スライド空間の中にスライドできるように取り付けられた凹形スライドロッドを含み、前記凹形スライドロッドが前記第二ラックの下端と固定され、前記凹形スライドロッドの下端には第四スライドブロックが左右対称に固定され、前記第一スライド空間の後端壁には位置制限柱が左右対称に固定され、前記位置制限柱には第一回転ロッドが回転できるように取り付けられ、前記第一回転ロッドの左右両端にはいずれも第一スライド溝が形成され、二つの前記第四スライドブロックの向き合っている端面には固定ピンが固定され、前記固定ピンが第一スライド溝の向き合っている側と連結され、前記固定ピンから離れた側の前記第一スライド溝の中にはスライド柱が設けられ、前記スライド柱が連動ブロックの上表面に固定され、前記連動ブロックには縦方向移動ブロックが固定され、前記縦方向移動ブロックの上端にはスライド板が固定され、前記スライド板の左右両側にはそれぞれ、前記第一スライド空間の後端壁に固定された第一位置制限ブロックと第二位置制限ブロックが固定され、前記第一位置制限ブロックと前記第二位置制限ブロックが前記スライド板とスライドできるように連結され、前記縦方向移動ブロックの下端にはＬ字形移動板が固定され、前記Ｌ字形移動板の下端面の右側には印字する文字がある。
【０００７】
更の技術プラン、前記送り機構は左方へ延びている第一回転溝を含み、前記第一回転溝が上方へ開口しており、前記第一回転溝の中にはベルトコンベアーが前後対称に設けられ、前後二つのベルトコンベアーの間には隙間が形成され、前記ベルトコンベアーの後方には動力を提供する第一モーターが設置され、前記回転溝の下方には第三回転空間が設けられ、前記第三回転空間の中には第四歯車が設けられ、前記第四歯車の後方には動力を提供する第二モーターが設けられ、前記第四歯車の前部分には縦方向へスライドする第二スライドロッドが設けられ、前記第二スライドロッドの左右両端の表面にはラックがあり、前記第三回転空間において第四歯車の上下端壁の中には第三スライド溝が形成され、前記第二スライドロッドが前記第三スライド溝でスライドでき、前記第二スライドロッドの上端が前記隙間を貫通しており、前記第四歯車の左右両側には前記第四歯車と噛合している第五歯車が対称に設けられ、前記第五歯車の前端には前記第二スライドロッドと噛合できる第一部分歯車が対称に設けられている。
【０００８】
更の技術プラン、前記検査機構は前記本体の内部に位置する前記第一モーターを含み、前記第一モーターの上端には前記本体の上壁端と回転できるように連結された駆動ロッドが伝動できるように連結され、前記駆動ロッドの右端には前記外部突出台が設けられ、前記駆動ロッドの上端には第三連結ロッドが固定され、前記第三連結ロッドの右側には連結板が固定され、前記連結板の中には前記第二モーターが設けられ、前記第二モーターには回転軸が伝動できるように連結され、前記回転軸には円盤が固定され、前記円盤の上表面には半円形の第二ガイドブロックが設けられ、前記連結板の右端には第一固定ブロックが固定され、前記第一固定ブロックの中には第二スライド溝が形成され、前記第二スライド溝の中には第三スライドロッドが設けられ、前記第三スライドロッドの外表面には第三位置制限ブロックが固定され、前記第三位置制限ブロックの右端には前記第二スライド溝の右端壁と固定的に連結された第二ばねが設けられ、前記第一固定ブロックの右端には外表面に歯の設けられた第一スリーブが回転できるように連結され、前記第一スリーブの中には第二固定ブロックが設けられ、前記第二固定ブロックの一部分が前記第一固定ブロックの中に延び、且つ前記第一固定ブロックと回転できるように連結され、前記第一固定ブロックの上端には右方へ延びている第三固定ブロックが固定的に取り付けられ、前記第三固定ブロックの右側には上下に連通している第二回転溝が形成され、前記第二回転溝の頂壁の中には左右両端面と前側がいずれも歯が付いている第三ラックがスライドできるように設けられ、前記第三ラックの前側が前記第一スリーブと噛合しており、前記第三ラックの後端には動力軸が設けられ、前記動力軸の後端には動力を提供する第三モーターが設けられ、前記動力軸には第六歯車が固定的に連結され、前記動力軸が前記第三ラックの後端面とスライドできるように連結され、前記第六歯車の左右両側には第七歯車が対称に噛み合っており、前記第七歯車の前端面には前記第三ラックと噛合できる第二部分歯車が設けられ、前記第二固定ブロックの中には第三回転溝が形成され、前記第三回転溝の内表面にはねじ山があり、前記第三回転溝の中には外表面にねじ山がある第二スリーブが設けられ、前記第二スリーブのの中の左端には第四連結ロッドが回転できるように設けられ、前記第二スリーブの内部には右方へ開口した楕円溝が形成され、前記楕円溝の中には挟みロッドが前後対称に且つスライドできるように取り付けられ、二つの前記挟みロッドの間には第三ばねが取り付けられ、前記第四連結ロッドの左端が前記第三スライドロッドと回転できるように連結され、前記第二スリーブの左半分が前記第四連結ロッドと回転できるように連結され、前記第二固定ブロックの外表面の前後両端には位置制限柱が設けられ、前記位置制限柱の中間には前記挟みロッドとスライドできるように連結された固定ロッドが設けられ、前記外部突出台の左側には送りベルトが設けられている。
【発明の効果】
【０００９】
本願発明は構造が簡単で、使用が簡単であり、本願発明は作業時に自動的に缶詰乳製品の密封性が合格であるかどうかを判断し、合格の場合は缶詰乳製品を本願発明の中に入れて印字作業を行い、不合格の場合は缶詰乳製品を本願発明の左側に送って回収待ちにし、本願発明は製品の合格率と生産効率を上げ、コストを下げ、全自動化によって人力を大きく節約し、製品の信憑性を上げた。
【図面の簡単な説明】
【００１０】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１１】
【図１】図１は本願発明の実施例の構成略図
【図２】図２は図１の７の拡大構成略図
【図３】図３は図１の１０の拡大構成略図
【図４】図４は図３のＡ―Ａの断面図
【図５】図５は図１の３２の拡大構成略図
【図６】図６は図１の２５の拡大構成略図
【図７】図７は図６のＢ―Ｂの断面図
【発明を実施するための形態】
【００１２】
図１〜７を参照し、缶詰乳製品の印字装置は、本体１を含み、前記本体１の中には第一回転空間５が設けられ、前記第一回転空間５の後端壁の中にはモーターが設けられ、前記第一回転空間５の前壁端にはモーターと伝動できるように連結された第一回転軸４が回転できるように連結され、前記第一回転軸４の表面には第一歯車３が固定され、前記第一歯車３の左側には第一ラック２が噛み合っており、前記第一歯車３の右側には第二ラック６が噛み合っており、前記第一回転空間５の下端には第一スライド空間７が設けられ、前記第一スライド空間７の中には印字機構が設けられ、前記第一回転空間５の左側には第二スライド空間８８が設けられ、前記第二スライド空間８８の中には前記第一ラック２の左側と固定的に連結されたＬ字形連結ロッド８７がスライドできるように設けられ、前記Ｌ字形連結ロッド８７の下部分の左側表面には第四ラックが設けられ、前記印字機構の下方には横取り機構が設けられ、前記横取り機構の下方には送り機構が設けられ、前記送り機構の左側には前記本体１の左側頂端に位置する外部突出台２５が設けられ、前記外部突出台２５の上部には検査機構が回転できるように連結され、前記送り機構の右側には前記本体１の中間部分に固定された外部へ延びている載置台８６が固定され、前記載置台８６の右端にはベルト１２が連結され、前記横取り機構は前記本体１の下壁端に固定された第一取り付けブロックを含み、前記第一取り付けブロックの中には右方に開口した第一駆動空間３７が設けられ、前記第一駆動空間３７の中には前記第一駆動空間３７の前後両端壁とスライドできるように連結された位置制限スライドブロック７７が設けられ、前記位置制限スライドブロック７７の内側の両端には横にスライドする第一スライドロッド３６が固定され、前記第一スライドロッド３６の前後両端には第二連結ロッド１０がスライドできるように連結され、前記第一スライドロッド３６の左端には第一ガイドロッド４８が固定的に連結され、前記第一ガイドロッド４８が前記第一駆動空間３７の外部にある部分には第二歯車４９が設けられ、前記第二歯車４９の後には同じ大きさの第三歯車５０が設けられ、前記第三歯車５０が左側表面に前記第四ラックの設けられた前記４７Ｌ字形連結ロッド８７と噛み合うことによって動力を提供し、前記第一取り付けブロックの右側には前記本体１の下壁端に固定された第二取り付けブロックが設けられ、前記第二取り付けブロックの中には上方へ開口した第二駆動空間４６が設けられ、前記第二駆動空間４６の中には前記第二駆動空間４６の前後両端壁に位置する裏へスライド可能な第一スライドブロック１１が設けられ、前記第一スライドブロック１１の中間部分には二本の位置制限スライドロッド４０がスライドできるように設けられ、前記位置制限スライドロッド４０の前後両端がそれぞれ前記第二駆動空間４６の前後端壁と固定的に連結され、前記位置制限スライドロッド４０の表面には第一ばね３９が設けられ、前記第一スライドブロック１１の向き合っている端面にはいずれも第一ガイドブロック４７が固定され、前後二つの前記第一ガイドブロック４７の間には第二スライドブロック９がスライドできるように連結され、前記第二スライドブロック９の上表面には突出ブロック８が設けられ、前記第二スライドブロック９の下部分は円錐形であり、前記第一ガイドブロック４７が前記第二スライドブロック９との接触している面は斜面であり、スライドに便利であり、前記第一スライドブロック１１の上部には前記第一スライドブロック１１とスライドできるように連結された第三スライドブロック３８が設けられ、前記第三スライドブロック３８が前記第二連結ロッド１０に固定され、且つ前記第二連結ロッド１０を駆動し横方向へスライドさせ、前記第二駆動空間の右部分には挟みブロック４５が設けられ、前記挟みブロック４５には第二連結ロッド１０が固定され、前記第二連結ロッド１０が前記本体１から横方向へ延び、且つ前記載置台８６と協働し缶詰乳製品を右方へ移動させ、前記第一駆動空間３７の左側には第二回転空間３５が設けられ、前記第二回転空間３５の中において前記第二歯車４９と前記Ｌ字形連結ロッド８７とが回転できるように連結され、前記第一ガイドロッド４８が前記第二回転空間３５の中で横方向へスライドでき、前記第二回転空間３５の前後壁の間には前記第二歯車４９と前記第三歯車５０と固定的に連結された伝動軸が回転できるように取り付けられている。
【００１３】
前記印字機構は前記第一スライド空間７の中にスライドできるように取り付けられた凹形スライドロッド８９を含み、前記凹形スライドロッド８９が前記第二ラック６の下端と固定され、前記凹形スライドロッド８９の下端には第四スライドブロック６１が左右対称に固定され、前記第一スライド空間７の後端壁には位置制限柱５３が左右対称に固定され、前記位置制限柱５３には第一回転ロッド５６が回転できるように取り付けられ、前記第一回転ロッド５６の左右両端にはいずれも第一スライド溝５２が形成され、二つの前記第四スライドブロック６１の向き合っている端面には固定ピン５４が固定され、前記固定ピン５４が第一スライド溝５２の向き合っている側と連結され、前記固定ピン５４から離れた側の前記第一スライド溝５２の中にはスライド柱５５が設けられ、前記スライド柱５５が連動ブロック５７の上表面に固定され、前記連動ブロック５７には縦方向移動ブロック６２が固定され、前記縦方向移動ブロック６２の上端にはスライド板６４が固定され、前記スライド板６４の左右両側にはそれぞれ、前記第一スライド空間７の後端壁に固定された第一位置制限ブロック６３と第二位置制限ブロック５１が固定され、前記第一位置制限ブロック６３と前記第二位置制限ブロック５１が前記スライド板６４とスライドできるように連結され、前記縦方向移動ブロック６２の下端にはＬ字形移動板５９が固定され、前記Ｌ字形移動板５９の下端面の右側には印字する文字がある。
【００１４】
前記送り機構は左方へ延びている第一回転溝９０を含み、前記第一回転溝９０が上方へ開口しており、前記第一回転溝９０の中にはベルトコンベアー１９が前後対称に設けられ、前後二つのベルトコンベアー１９の間には隙間１８が形成され、前記ベルトコンベアー１９の後方には動力を提供する第一モーター２４が設置され、前記回転溝９０の下方には第三回転空間１３が設けられ、前記第三回転空間１３の中には第四歯車１５が設けられ、前記第四歯車１５の後方には動力を提供する第二モーター２２が設けられ、前記第四歯車１５の前部分には縦方向へスライドする第二スライドロッド１４が設けられ、前記第二スライドロッド１４の左右両端の表面にはラックがあり、前記第三回転空間１３において第四歯車１５の上下端壁の中には第三スライド溝が形成され、前記第二スライドロッド１４が前記第三スライド溝でスライドでき、前記第二スライドロッド１４の上端が前記隙間１８を貫通しており、前記第四歯車１５の左右両側には前記第四歯車１５と噛合している第五歯車１７が対称に設けられ、前記第五歯車１７の前端には前記第二スライドロッド１４と噛合できる第一部分歯車１６が対称に設けられている。
【００１５】
前記検査機構は前記本体１の内部に位置する前記第一モーター２４を含み、前記第一モーター２４の上端には前記本体１の上壁端と回転できるように連結された駆動ロッド２６が伝動できるように連結され、前記駆動ロッド２６の右端には前記外部突出台２５が設けられ、前記駆動ロッド２６の上端には第三連結ロッド２７が固定され、前記第三連結ロッド２７の右側には連結板２３が固定され、前記連結板２３の中には前記第二モーター２２が設けられ、前記第二モーター２２には回転軸７５が伝動できるように連結され、前記回転軸７５には円盤２８が固定され、前記円盤２８の上表面には半円形の第二ガイドブロック２９が設けられ、前記連結板２３の右端には第一固定ブロック８４が固定され、前記第一固定ブロック８４の中には第二スライド溝２１が形成され、前記第二スライド溝２１の中には第三スライドロッド３０が設けられ、前記第三スライドロッド３０の外表面には第三位置制限ブロック７６が固定され、前記第三位置制限ブロック７６の右端には前記第二スライド溝２１の右端壁と固定的に連結された第二ばね７８が設けられ、前記第一固定ブロック８４の右端には外表面に歯の設けられた第一スリーブ８３が回転できるように連結され、前記第一スリーブ８３の中には第二固定ブロック３２が設けられ、前記第二固定ブロック３２の一部分が前記第一固定ブロック８４の中に延び、且つ前記第一固定ブロック８４と回転できるように連結され、前記第一固定ブロック８４の上端には右方へ延びている第三固定ブロックが固定的に取り付けられ、前記第三固定ブロックの右側には上下に連通している第二回転溝３３が形成され、前記第二回転溝３３の頂壁の中には左右両端面と前側がいずれも歯が付いている第三ラック２０がスライドできるように設けられ、前記第三ラック２０の前側が前記第一スリーブ８３と噛合しており、前記第三ラック２０の後端には動力軸が設けられ、前記動力軸の後端には動力を提供する第三モーターが設けられ、前記動力軸には第六歯車７９が固定的に連結され、前記動力軸が前記第三ラック２０の後端面とスライドできるように連結され、前記第六歯車７９の左右両側には第七歯車８１が対称に噛み合っており、前記第七歯車８１の前端面には前記第三ラック２０と噛合できる第二部分歯車８０が設けられ、前記第二固定ブロック３２の中には第三回転溝７２が形成され、前記第三回転溝７２の内表面にはねじ山があり、前記第三回転溝７２の中には外表面にねじ山がある第二スリーブ６７が設けられ、前記第二スリーブ６７のの中の左端には第四連結ロッド６５が回転できるように設けられ、前記第二スリーブ６７の内部には右方へ開口した楕円溝６６が形成され、前記楕円溝６６の中には挟みロッド６８が前後対称に且つスライドできるように取り付けられ、二つの前記挟みロッド６８の間には第三ばね７１が取り付けられ、前記第四連結ロッド６５の左端が前記第三スライドロッド３０と回転できるように連結され、前記第二スリーブ６７の左半分が前記第四連結ロッド６５と回転できるように連結され、前記第二固定ブロック３２の外表面の前後両端には位置制限柱３１が設けられ、前記位置制限柱３１の中間には前記挟みロッド６８とスライドできるように連結された固定ロッド７４が設けられ、前記外部突出台２５の左側には送りベルト８５が設けられている。
【００１６】
本願発明装置全体の機械作動順序は以下の通り。
第二モーター２２を起動し、第二モーター２２が動力を提供し、検査機構が作動し、回転軸７５が回転し、円盤２８の上表面にある半円形の第二ガイドブロック２９が駆動されてともに回転し、これによって第二ガイドブロック２９とスライドできるように連結された第三スライドロッド３０が横方向へ移動し、第三位置制限ブロック７６が駆動されて横方向へ移動し第二ばね７８を圧縮し、第三スライドロッド３０が第四連結ロッド６５を横方向へ駆動し移動させ、これによって表面にねじ山のある第二スリーブ６７と表面にねじ山のある第三回転溝７２とが回転できるように連結され、第二スリーブ６７が回転するときに第二スリーブ６７と挟みロッド６８の接触している部分に設けられた楕円溝６６が横方向へ移動しながら回転し、挟みロッド６８が緩められ第二ガイドブロック２９が回転し第三スライドロッド３０と接触しなくなったときに第二ばね７８が跳ね返り、これによって第三スライドロッド３０が左方へ移動し、第四連結ロッド６５が駆動されて左方へ移動し、第二スリーブ６７が逆回転することによって、挟みロッド６８が左方へ移動する過程において缶詰乳製品を挟んでともに移動させ、第三モーターが作動し、動力軸が回転し第六歯車７９を回転させ、第七歯車８１が回転し第三ラック２０を移動させ、これによって第二部分歯車８０が伝動し、第三ラック２０が下方へ移動し、第六歯車７９の左側に位置する第七歯車８１が伝動し、第三ラック２０と噛合できる第二部分歯車８０が回転し第三ラック２０を駆動し上方へ移動させ、これによって外表面に歯の付いている第一スリーブ８３が回転し第二固定ブロック３２全体を駆動し回転させ、これによって挟みロッド６８が挟んている過程において翻転し、液体が漏れているかを検知する効果を達成し、位置制限柱３１の外端に設けられた検知器が缶詰乳製品が合格であるかを検査することによって第一モーター２４の正逆回転を制御し、これによって本体１の上壁に回転できるように連結された駆動ロッド２６の左右への回転を制御し、不合格の場合、左方へ回転し送りベルト８５に送り、合格の場合、送り装置に送り次の加工ステップに便利を与え、缶詰乳製品の検査結果が合格である場合、検査機構が缶詰乳製品を送り装置に置き、第一モーター２４と伝動できるように連結された二つのベルトコンベアー１９が回転しはじめ、ベルトコンベアー１９にある缶詰乳製品が右方へ移動され、第二モーター２２が作動し、第四歯車１５が回転し、第四歯車１５の左右両端に対称に設けられ且つ第四歯車１５と噛合している第五歯車１７が回転し、これによって左側の対称の第五歯車１７が伝動して第一部分歯車１６を回転させ、第二スライドロッド１４が上方へ移動し、第二スライドロッド１４の上端が隙間１８を貫通し、缶詰乳製品を上げ、右側の対称の歯車が伝動し第二スライドロッド１４を下方へ移動させ、次の缶詰乳製品を上げ、缶詰乳製品が第一挟みブロック４５の左端まで上げられたとき、印字待ちの位置に着き、横取り機構が移動し印字機構と協働しはじめ、第一ラック２の下末端が第一歯車３と噛合できるように伝動し、第二ラック６の上の末端が第一歯車３との噛合伝動は初期状態であり、第一回転軸４の表面に固定された第一歯車３が回転しはじめ、第一ラック２が下方へ移動することによって下側の左側の表面にラックの付いているＬ字形連結ロッド８７が第二スライド空間８８の中で下方へ移動し、第二歯車４９が回転し、第三歯車５０と左側の表面にラックの付いているＬ字形連結ロッド８７と噛合することで外表面にラックの付いている第一ガイドロッド４８が回転し、初期状態では第一スライドロッド３６が第一駆動空間３７の一番右側に位置し、第一ガイドロッド４８が左方へ移動し第二連結ロッド１０を左方へ移動させ、第一歯車３が回転し始めることによって第二ラック６が上方へ移動し、凹形スライドロッド８９の下端に左右対称に固定された第四スライドブロック６１が駆動されて上方へ移動し、これによって右側の固定ピン５４は第一回転ロッド５６の中間部分の固定された且つ第一スライド空間７の後端壁と固定的に連結された位置制限柱５３と反時計回りに回転し、左側の位置制限柱５３が時計回りに回転し、連動ブロック５７と固定的に連結された縦方向移動ブロック６２が第一位置制限ブロック６３と第二位置制限ブロック５１との間で下方へスライドし、下端面の右側に印字の文字のあるＬ字形移動板５９が下方へ印字し、これによってＬ字形移動板５９の左端の突出部分が突出ブロック８と協働し突出ブロック８を下方へ移動させ、第二スライドブロック９が駆動されて第一ガイドブロック４７を互いに対して前後方向にスライドさせ、これによって第一スライドブロック１１が互いに対して前後方向にスライドし駆動空間４６の内壁に着き、第一バネ３９が伸び、これによって第三スライドブロック３８と固定的に連結された第二連結ロッド１０を前後方向にスライドさせ、第二連結ロッド１０が第一駆動空間３７の中の第一スライドロッド３６で互いに対して前後方向にスライドし、このとき第一ガイドロッド４８が左方へ移動し第二連結ロッド１０をともに第一駆動空間３７の左端まで左方へ移動させ、このとき第一歯車３が逆回転し、第一ラック２が上方へ移動し、第二ラック６が下方へ移動し、突出ブロック８が力を受けていないときに第一バネ３９が収縮し、このとき挟みブロック４５が缶詰乳製品をきつく挟み、第一ラック２が上方へ移動することによってＬ字形連結ロッド８７が上方へ移動し、第二歯車４９の後面にある同じ大きさの第三歯車５０と左側の表面にラック付きのＬ字形連結ロッド８７とが噛合し逆回転し、これによって第一ガイドロッド４８が第一スライドロッド３６を右方へ押し動かし、これによって第三スライドブロック３８と固定された第二連結ロッド１０をともに右方へスライドさせ、このとき挟みブロック４５は缶詰乳製品をきつく挟んで右方へ送り、本体１の頂端外部の載置台８６まで送り印字を待ち、当該缶詰乳製品が十個の挟みブロック４５の中の一番目と二番目の間のところに位置し、上記の移動軌跡を繰り返すことで印字完了の缶詰乳製品を送り、ベルト１２によって外部へ出す。
【００１７】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本願発明は缶詰乳製品の印字装置を開示した。
【解決手段】
本体を含み、前記本体の中には第一回転空間が設けられ、前記第一回転空間の後端壁の中にはモーターが設けられ、前記第一回転空間の前壁端にはモーターと伝動できるように連結された第一回転軸が回転できるように連結され、前記第一回転軸の表面には第一歯車が固定され、前記第一歯車の左側には第一ラックが噛み合っており、前記第一歯車の右側には第二ラックが噛み合っており、前記第一回転空間の下端には第一スライド空間が設けられ、前記第一スライド空間の中には印字機構が設けられ、前記第一回転空間の左側には第二スライド空間が設けられている。
【選択図】図１【図１】
0006813739.tif 000002
【図２】
0006813739.tif 000003
【図３】
0006813739.tif 000004
【図４】
0006813739.tif 000005
【図５】
0006813739.tif 000006
【図６】
0006813739.tif 000007
【図７】
0006813739.tif 000008